(57)【要約】【課題】  内部にボルトの頭部を収納したベースとキャップとを強固に固定でき、防犯性に優れるボルト取外し防止具を提供する。【解決手段】  本発明のボルト取外し防止具１において、ベース１５の筒壁２３は開口端に周設したテーパ部３１と内面に周設した係合溝３９とを有し、テーパ部３１は基板２１側ほど内径が小さくなるように内面２３ａに向けて傾斜しており、キャップ１７は筒壁２３内に嵌合する嵌合部４１とボルト頭部収容部２７と塞ぎ部４３と係止溝３９とを有し、ボルト頭部収容部２７は基板２１側に開口する凹部であり、塞ぎ部４３は嵌合部４１の端に周設してテーパ部３１を塞いでおり、係止溝３９は嵌合部４１の外面に周設してあり且つベース１５の係合溝３３と対向しており、止め輪１９は予め内周側をキャップ１７の係止溝３９に嵌めてあるとともに外周側をテーパ部３１に当接して筒壁２３内に挿入したものであり、且つ外周側をベース１５の係合溝３３に嵌めてある。【選択図】      図１
2005226668.tif 000002
【特許請求の範囲】
【請求項１】
ベースと、キャップと、止め輪とを備え、ベースはボルト軸部貫通孔を有する基板と基板の周囲に設けた筒壁とを有し、筒壁は開口端に周設したテーパ部と内面に周設した係合溝とを有し、テーパ部は基板側ほど内径が小さくなるように内面に向けて傾斜しており、キャップは筒壁内に嵌合する嵌合部とボルト頭部収容部と塞ぎ部と係止溝とを有し、ボルト頭部収容部は基板側に開口する凹部であり、塞ぎ部は嵌合部の端に周設してテーパ部を塞いでおり、係止溝は嵌合部の外面に周設してあり且つベースの係合溝と対向しており、止め輪は予め内周側をキャップの係止溝に嵌めてあるとともに外周側をテーパ部に当接して筒壁内に挿入したものであり、且つ外周側をベースの係合溝に嵌めてあることを特徴とするボルト取外し防止具。
【発明の詳細な説明】
【技術分野】
【０００１】
本発明は、ボルト取外し防止具に関する。
【背景技術】
【０００２】
特許文献１には、ベースの基板にボルト軸部貫通孔を設けてベースの筒壁の内部にボルト頭部を収納すると共に筒壁内にキャップを嵌め込で構成したボルト取外し防止具が開示されている。
この特許文献１の技術では、ベースの筒壁の内面には係合溝が周設してあり、キャプにはベースとの嵌合部の先端に外径方向に突設する突部を設けて、ベースの筒壁内にキャップの嵌合部を嵌め入れて、キャップの突部をベースの係合溝に係合することが開示されている。
【０００３】
【特許文献１】特開２００３−２３２３２８号公報
【発明の開示】
【発明が解決しようとする課題】
【０００４】
しかし、上述の従来技術では、キャップの嵌合部先端に設けた突部をベースの係合溝に係合してベースとキャップとを固定しているが、更にベースとキャップとの固定強度が高く、防犯性の高いボルト取外し防止具が望まれている。
そこで、本発明は、内部にボルトの頭部を収納したベースとキャップとを強固に固定でき、防犯性に優れるボルト取外し防止具の提供を目的とする。
【課題を解決するための手段】
【０００５】
請求項１に記載の発明は、ベースと、キャップと、止め輪とを備え、ベースはボルト軸部貫通孔を有する基板と基板の周囲に設けた筒壁とを有し、筒壁は開口端に周設したテーパ部と内面に周設した係合溝とを有し、テーパ部は基板側ほど内径が小さくなるように内面に向けて傾斜しており、キャップは筒壁内に嵌合する嵌合部とボルト頭部収容部と塞ぎ部と係止溝とを有し、ボルト頭部収容部は基板側に開口する凹部であり、塞ぎ部は嵌合部の端に周設してテーパ部を塞いでおり、係止溝は嵌合部の外面に周設してあり且つベースの係合溝と対向しており、止め輪は予め内周側をキャップの係止溝に嵌めてあるとともに外周側をテーパ部に当接して筒壁内に挿入したものであり、且つ外周側をベースの係合溝に嵌めてあることを特徴とする。
尚、ボルトにはねじを含む。
【発明の効果】
【０００６】
請求項１に記載の発明によれば、ベースの筒壁の内面に形成した係合溝とキャップの嵌合部の外面に形成した係止溝とに跨って止め輪が嵌まり込んでいるので、ベースとキャップとを強固に固定でき、防犯性が高い。
ベースにキャップを固定するときには、キャップの係止溝に止め輪の内側を予め嵌め入れて、キャップの嵌合部を止め輪とともにベースの開口端部からベースの筒壁内に押し込むことにより、止め輪は筒壁のテーパ部に案内されて径を縮めて弾性変形して筒壁内に導かれて、筒壁の内周面に形成された係合溝に達すると復帰して径を広げる。これにより、止め輪は内周側がキャップの係止溝に嵌まり外周側がベースの係合溝に嵌まるので、ベースとキャップの固定が容易にできる。
キャップの塞ぎ部はベースに形成されたテーパ部を塞いでキャップの嵌合部とテーパ部との間の隙間を隠しているので、隙間に工具等を差し込んで破壊するのを防止できる。
【発明を実施するための最良の形態】
【０００７】
以下に、添付図面を参照して本発明の実施の形態を説明する。図１は発明の第１実施の形態にかかるボルト取外し防止具の縦断面図であり、図２は図１のＡ―Ａ断面図であり、図３は図１に示すボルト取外し防止具を用いた面格子付きサッシの縦断面図であり、図４は図３に示す面格子付きサッシの横断面図である。
本実施の形態にかかるボルト取外し防止具１は、面格子３をサッシ５に外付けしてある面格子付きサッシ７に用いられており、面格子３の取付金具９とサッシ枠１１とを固定しているボルト１３に装着し、ボルト１３の頭部１３ａを隠している。
ボルト取外し防止具１は、ベース１５と、キャップ１７と、止め輪１９から構成されている。
ベース１５は、基板２１と筒壁２３とを有している。基板２１は平面視略円盤状であり、筒壁２３は略円筒形状で基板２１の周囲に設けてあり基板２１と反対側が開口している。
基板２１には略中央にボルト軸部貫通孔２５が設けてあり、ボルト１３の軸部が挿通されている。筒壁２３の開口端２９にはテーパ部３１が形成されており、筒壁２３の内面２３ａには係合溝３３が周設されている。
テーパ部３１は開口側から基板２１側に次第に内径が小さくなるように内面２３ａに向けて傾斜しており、係合溝３３はテーパ部３１に隣接した位置にある。係合溝３３は断面略コ字状の溝である。
キャップ１７は、嵌合部４１とボルト頭部収納部２７と塞ぎ部４３と係止溝３９とを有し、嵌合部４１は略円筒形状でありベースの基板２１側が開口端３６になっており、嵌合部４１の内部がボルト収納部２７になっている。
嵌合部４１はベース１５の筒壁２３内に嵌めてある。
ボルト頭部収納部２７は基板側に開口する凹部であり且つボルト頭部１３ａが納まる内径を有しており、基板２１側に開口している。
塞ぎ部４３は、嵌合部４１において開口端３６と反対側の端に周設しており、ベース１５のテーパ部３１を塞いで隠している。
係止溝３９は嵌合部４１の外面に周設している。キャップの係止溝３９は、ベース１５にキャップ１７を嵌めた状態において、係止溝３９の開口とベース１５の係合溝３３の開口とが対向して位置している。
止め輪１９は平面視略三日月状を成したクリセント型止め輪である。止め輪１９の両端部１９ａ、１９ａと略中央部１９ｂはそれぞれ幅広になっており、略中央部１９ｂと各端部１９ａ、１９ａとの間の中間部１９ｂ、１９ｂはそれぞれ幅を狭くして内径を小さくするように弾性変形しやすくなっている。
止め輪１９はベース１５の係合溝３３とキャップ１７の係止溝３９とに跨って嵌まり込んでおり、内周側をキャップの係止溝３９に嵌め込んで、外周側をベースの係合溝３３に嵌め込んでいる。
【０００８】
次に、本実施の形態にかかるボルト取外し防止具１の装着方法及び作用効果について説明する。
ボルト取外し防止具１の装着は、ベース１５を取付金具９のボルト取り付け位置に配置して、ボルト１３をベース１５のボルト軸部貫通孔２５に挿通して取付金具９とサッシ枠１１とを螺合により締め付け固定する。ボルト１３の頭部１３ａはベース１５の筒壁２３内に配置されると共にベース１５を取付金具９に固定している。
次に、キャップ１７の係止溝３９に止め輪１９の内周側を嵌め込んで、止め輪１９の外周側を係止溝３９から突設した状態で、キャップ１７の嵌合部４１を開口端３６側からベースの筒壁２５内に嵌め込むと、止め輪１９の外周側はテーパ部３１に当接するが、キャップ１７を更にベース１５内に押し込むと、テーパ部３１に導かれて止め輪１９の径が小さくなるように弾性変形してベース１５の筒壁２３内に圧入され、ベース１５の係合溝３３の開口に達すると弾性復帰して止め輪１９の外周側がベース１５の係合溝３３に係合される。これにより、止め輪１９はキャプの係止溝３９とベース１５の係合溝３３とに跨って配置される。
キャップ１７の塞ぎ部４３は筒壁２３のテーパ部３１を塞いで隠す。
本実施の形態によれば、ベース１５の係合溝３３とキャップ１７の係止溝３９とに跨って止め輪１９が嵌まり込んでいるので、ベース１５とキャップ１７とを強固に固定でき、防犯性が高い。
ベース１５とキャップ１７との固定は、キャップ１７の係止溝３９に止め輪１９の内周側を嵌め入れて、キャップ１７の嵌合部４１を止め輪１９とともにベース１５の開口端部２９からベース１５の筒壁２３内に押し込むだけであるから、別途工具を必要とせず、ベース１５とキャップ１７とを容易に固定できる。
ベース１５に形成されたテーパ部３１はキャップ１７の塞ぎ部４３が塞いで、テーパ部３１と嵌合部４１との隙間を隠しているので、この隙間に工具等を差し込んで破壊するのを防止できる。
ボルト頭部収納部２７を嵌合部４１の内部に形成した凹部としているので、ボルト取外し防止具１が大きくならずコンパクトにできる。
【０００９】
本発明は、上述した実施の形態に限らず、本発明の要旨を逸脱しない範囲で種々変形可能である。
例えば、ボルト取外し防止具１は外付けの面格子３のボルト固定部に用いることに限らず、外付けサッシのボルト固定部や、フェンスのボルト固定部に用いてもよく、使用箇所は限定されない。
ベース１５の係合溝３３とキャップ１７の係止溝３９とこれらに跨って嵌まる止め輪１９の位置は、それぞれテーパ部３１に近接する位置に限らず、例えば筒壁２３の基板２１近くに配置するものであってもよい。
係合溝３３と係止溝３９とは、共に開口が対向した位置にあるとき溝がベースの径方向に傾斜するように形成したものであっても良い。
止め輪１９は全体を略同じ幅にするものであってもよいし、略環状を成しスリットを設けたものであってもよい。
【図面の簡単な説明】
【００１０】
【図１】発明の第１実施の形態にかかるボルト取外し防止具の縦断面図である。
【図２】図１のＡ―Ａ断面図である。
【図３】図１に示すボルト取外し防止具を用いた面格子付きサッシの縦断面図である。
【図４】図３に示す面格子付きサッシの横断面図である。
【符号の説明】
【００１１】
１      ボルト取外し防止具
１３    ボルト
１３ａ  ボルトの頭部
１５    ベース
１７    キャップ
１９    止め輪
２１    基板
２３    筒壁
２３ａ  内面
２５    ボルト軸部貫通孔
２７    ボルト頭部収納部
２９    開口端部
３１    テーパ部
３３    係合溝
３９    係止溝
４１    嵌合部
４３    塞ぎ部
【図１】
2005226668.tif 000003
【図２】
2005226668.tif 000004
【図３】
2005226668.tif 000005
【図４】
2005226668.tif 000006